(57)【要約】【課題】  新簡易無線並びにデジタルコードスケルチエンコーダー手段及びデジタルコードスケルチデコーダー手段を備えた無線通信装置は選択信号種類が限られているので、他の通信系の無線通信装置からの呼出し妨害を受けてしまう。それを解決する手段として追加部品材料費を低く抑えられ、且つ、余分な基板スペースを使わず、個別選択呼出しが可能な無線通信装置の実現を目的とする。【解決手段】  無線通信装置1は、受信手段でデジタルコードスケルチ選択信号を判定するＣＰＵ６のデジタルコードスケルチ選択信号判定６ａ、及び個別選択信号判定６ｂの両方を備え、送信手段で送信した初期動作の際に、各無線通信装置がお互いに相違する個別選択信号（ID番号）を設定するデジタルコードスケルチ選択信号選定６ｄと、既存のデジタルコードスケルチと相違するビットレートに変更するデジタルコードスケルチビットレート変更６ｅ、を備えて構成した。【特許請求の範囲】
【請求項１】
所定の伝送速度で送信されるデジタルコードスケルチ選択信号を受信してデジタルコードスケルチを作用させる無線受信部と共に使用され、所定の伝送速度でデジタルコードスケルチ選択信号を送信する無線通信装置であって、
デジタルコードスケルチ選択信号をエンコードするデジタルコードスケルチエンコーダ手段と、
予め設定された固定番号に応じたデジタルコードスケルチ選択信号を、所定の伝送速度で前記デジタルコードスケルチエンコーダ手段を介して送信する制御を行う制御手段と、が備えられ、
前記制御手段は、前記所定の伝送速度のデジタルコードスケルチ選択信号の送信に先立ち、呼び出し先に応じて予め設定された個別選択信号に応じた個別選択信号を、前記所定の伝送速度とは異なる第二の伝送速度で前記デジタルコードスケルチエンコーダ手段を介して送信する制御を行うように構成された、
ことを特徴とする無線通信装置。
【請求項２】
所定の伝送速度でデジタルコードスケルチ選択信号を送信する無線送信部と共に使用され、所定の伝送速度で送信されるデジタルコードスケルチ選択信号を受信してデジタルコードスケルチを作用させる無線通信装置であって、
デジタルコードスケルチ選択信号をデコードするデジタルコードスケルチデコーダ手段と、
前記デジタルコードスケルチデコーダ手段でデコードされた、予め設定された固定番号に応じたデジタルコードスケルチ選択信号に応じて、音声信号の出力の可否を決定する制御を行う制御手段と、が備えられ、
前記制御手段は、前記所定の伝送速度のデジタルコードスケルチ選択信号のデコードに先立ち、予め設定された個別選択信号に応じた個別選択信号を、前記所定の伝送速度とは異なる第二の伝送速度でデコードし、前記個別選択信号のデコード結果に応じて、呼び出し先としての動作の可否を決定する制御を行うように構成された、
ことを特徴とする無線通信装置。
【請求項３】
所定の伝送速度でデジタルコードスケルチ選択信号を送信する無線送信部と、所定の伝送速度で送信されるデジタルコードスケルチ選択信号を受信してデジタルコードスケルチを作用させる無線受信部とを有する無線通信装置であって、
デジタルコードスケルチ選択信号をエンコードするデジタルコードスケルチエンコーダ手段と、
デジタルコードスケルチ選択信号をデコードするデジタルコードスケルチデコーダ手段と、
予め設定された固定番号に応じたデジタルコードスケルチ選択信号を、所定の伝送速度で前記デジタルコードスケルチエンコーダ手段を介して送信する制御と、前記デジタルコードスケルチデコーダ手段でデコードされた、予め設定された固定番号に応じたデジタルコードスケルチ選択信号に応じて、音声信号の出力の可否を決定する制御とを行う制御手段と、が備えられ、
前記制御手段は、
送信時には、前記所定の伝送速度のデジタルコードスケルチ選択信号の送信に先立ち、呼び出し先に応じて予め設定された個別選択信号に応じた個別選択信号を、前記所定の伝送速度とは異なる第二の伝送速度で前記デジタルコードスケルチエンコーダ手段を介して送信する制御を行い、
受信時には、前記所定の伝送速度のデジタルコードスケルチ選択信号のデコードに先立ち、予め設定された個別選択信号に応じた個別選択信号を、前記所定の伝送速度とは異なる第二の伝送速度でデコードし、前記個別選択信号のデコード結果に応じて、呼び出し先としての動作の可否を決定する制御を行うように構成された、
ことを特徴とする無線通信装置。
【請求項４】
前記個別選択信号は、無線通信装置のそれぞれで相違するＩＤ番号である、
ことを特徴とする請求項１乃至請求項３のいずれかに記載の無線通信装置。
【請求項５】
音声出力、発光、アラーム音発報のいずれか一つ又はそれらの組み合わせにより、呼出し先として選択されたことを確認可能な確認手段を有する、
ことを特徴とする請求項２又は請求項３のいずれかに記載の無線通信装置。
【請求項６】
前記制御手段は、送信中には、個別選択信号の送信の後に、予め設定された固定番号に応じたデジタルコードスケルチ選択信号を送信する、
ことを特徴とする請求項１又は請求項３のいずれかに記載の無線通信装置。
【発明の詳細な説明】
【技術分野】
【０００１】
この発明は、デジタルコードスケルチのエンコーダ手段及びデコーダ手段を備えた個別選択通信が可能な無線通信装置に関する。
【背景技術】
【０００２】
例えば土木工事現場等では重機操縦者と現場作業者が作業状態に応じて通信手段を用いて頻繁に連絡を取り合い、事故を未然に防ぐようにして作業を進めている。その際に、その通信する手段は、移動性に優れていて、通話料金が無料の無線通信装置を使用している場合が殆どである。
尚、複数の作業者が存在する工事現場では、特定の無線通信装置を呼び出す手段として、デジタルコードスケルチが使用されている。
【０００３】
デジタルコードスケルチは、相手側無線機と一致した選択信号を選定して送信することにより、特定の無線通信装置を呼び出すシステムとなっている。
この際、呼び出し可能な範囲内（通信可能なエリア）に、つまり無線通信装置の通話可能な範囲内に、同様な仕組みを有する無線通信装置と、上記選択信号と一致した選択信号を使用する他の無線通信装置が存在すると、呼び出し可能な範囲内にいる互いに通信を意図しない複数の工事現場間でスケルチが開いてしまう。この結果、混信や呼び出し妨害が発生することになる。
【０００４】
尚、呼び出し可能な範囲内からの呼び出し妨害を受けない手段を備えた通信装置として、以下の特許文献１の技術が知られている。
【特許文献１】特開２００２ ２６１６３６号公報（第１頁〜第２頁、図１）
【発明の開示】
【発明が解決しようとする課題】
【０００５】
呼び出し可能な範囲内に存在する通信を意図しない他の無線通信装置からの呼び出し妨害を受けない手段として、上記特許文献１（特開２００２ ２６１６３６号公報）で開示された発明は、送信手段にＭＳＫ（Ｍｉｎｉｍｕｍ  Ｓｉｆｔ  Ｋｅｙｉｎｇ）方式を採用している。
この場合、送信した際の初期動作で各無線通信装置のそれぞれに相違する個別選択信号（ＩＤ番号）を付加して送信する。
そうして、呼び出し先無線通信装置の受信手段は、上記個別選択信号（ＩＤ番号）を判定して、自己の個別選択信号（ＩＤ番号）と一致した際にのみ、音声出力手段で受信音声を出力する構成になっている。
【０００６】
尚、デジタルコードスケルチエンコーダ手段及びデジタルコードスケルチデコーダ手段を備えた無線通信装置を用いてデジタルコードスケルチ選択信号を採用した通信を行う際には、このデジタルコードスケルチ選択信号（固定番号）は種類の限られた番号であって、使用できる種類が限られている。
このため、呼び出し可能な範囲内にいる当該通信に無関係の他の無線通信装置が同様の通信手段と一致したデジタルコードスケルチ選択信号（固定番号）を使用した場合には、近接状態にある当該通信に無関係の他の無線通信装置からの呼び出しの妨害を受けるという問題があった。
【０００７】
例えば、デジタルコードスケルチの新簡易無線に関する規格では、電波産業会発行のＲＣＲ  ＳＴＤ ４４（標準規格名＝小エリア無線通信システム）において、伝送速度１３４．４ｂｐｓと、８３種類の個別選択信号が規定されている。
このため、他の無線通信装置が同一の個別選択信号（ＩＤ番号）を使用する可能性もある。
すなわち、呼び出し可能な範囲内に意図したものとは無関係の他の無線通信装置が同様の通信手段と一致したデジタルコードスケルチ選択信号（固定番号）が使用された場合には、近接状態にある無関係の他の無線通信装置からの呼び出しの妨害を受けるという問題が残っていた。
【０００８】
尚、種類が限定された個別選択信号が一致する問題を解決するためには、従来の無線通信装置に対して特許文献１記載のＭＳＫ方式のモデム回路を追加して、上述した種類の限定された標準的な個別選択信号とは別に、各無線通信装置がそれぞれ互に相違する独自の個別選択信号を付加することが可能性として考えられる。
そうして、このような各無線通信装置毎に独自の個別選択信号を用いて固有識別を行うことで、以上の問題を解決することが可能になる。しかし、そのためには追加部品と追加基板スペースが必要となり、部品材料費が高価になり、製造もより手間取るという問題が生じる。
【０００９】
更に、無線通信装置の小型軽量化が阻害されるという新たな問題が出て来る。より安価で、携帯性に優れた小型軽量化された製品が市場では強く求められている現状では、このような部品や基板の追加の問題は、極めて深刻な問題であった。
【００１０】
この発明は、上記の事情に鑑みてなされたものであって、同一の周波数や同一のデジタルコードスケルチのシステムを使用する当該通信とは関わりない他の無線通信装置からの呼び出しの影響を受けることがなく個別選択呼び出し動作が可能な無線通信装置を提供することを目的とする。
【課題を解決するための手段】
【００１１】
上述した課題は、以下の発明により解決される。
（１）請求項１に記載の発明は、所定の伝送速度で送信されるデジタルコードスケルチ選択信号を受信してデジタルコードスケルチを作用させる無線受信部と共に使用され、所定の伝送速度でデジタルコードスケルチ選択信号を送信する無線通信装置であって、デジタルコードスケルチ選択信号をエンコードするデジタルコードスケルチエンコーダ手段と、予め設定された固定番号に応じたデジタルコードスケルチ選択信号を、所定の伝送速度で前記デジタルコードスケルチエンコーダ手段を介して送信する制御を行う制御手段と、が備えられ、前記制御手段は、前記所定の伝送速度のデジタルコードスケルチ選択信号の送信に先立ち、呼び出し先に応じて予め設定された個別選択信号に応じた個別選択信号を、前記所定の伝送速度とは異なる第二の伝送速度で前記デジタルコードスケルチエンコーダ手段を介して送信する制御を行うように構成された、ことを特徴とする無線通信装置である。
【００１２】
（２）請求項２に記載の発明は、所定の伝送速度でデジタルコードスケルチ選択信号を送信する無線送信部と共に使用され、所定の伝送速度で送信されるデジタルコードスケルチ選択信号を受信してデジタルコードスケルチを作用させる無線通信装置であって、デジタルコードスケルチ選択信号をデコードするデジタルコードスケルチデコーダ手段と、前記デジタルコードスケルチデコーダ手段でデコードされた、予め設定された固定番号に応じたデジタルコードスケルチ選択信号に応じて、音声信号の出力の可否を決定する制御を行う制御手段と、が備えられ、前記制御手段は、前記所定の伝送速度のデジタルコードスケルチ選択信号のデコードに先立ち、予め設定された個別選択信号に応じた個別選択信号を、前記所定の伝送速度とは異なる第二の伝送速度でデコードし、前記個別選択信号のデコード結果に応じて、呼び出し先としての動作の可否を決定する制御を行うように構成された、ことを特徴とする無線通信装置である。
【００１３】
（３）請求項３に記載の発明は、所定の伝送速度でデジタルコードスケルチ選択信号を送信する無線送信部と、所定の伝送速度で送信されるデジタルコードスケルチ選択信号を受信してデジタルコードスケルチを作用させる無線受信部とを有する無線通信装置であって、デジタルコードスケルチ選択信号をエンコードするデジタルコードスケルチエンコーダ手段と、デジタルコードスケルチ選択信号をデコードするデジタルコードスケルチデコーダ手段と、予め設定された固定番号に応じたデジタルコードスケルチ選択信号を、所定の伝送速度で前記デジタルコードスケルチエンコーダ手段を介して送信する制御と、前記デジタルコードスケルチデコーダ手段でデコードされた、予め設定された固定番号に応じたデジタルコードスケルチ選択信号に応じて、音声信号の出力の可否を決定する制御とを行う制御手段と、が備えられ、前記制御手段は、送信時には、前記所定の伝送速度のデジタルコードスケルチ選択信号の送信に先立ち、呼び出し先に応じて予め設定された個別選択信号に応じた個別選択信号を、前記所定の伝送速度とは異なる第二の伝送速度で前記デジタルコードスケルチエンコーダ手段を介して送信する制御を行い、受信時には、前記所定の伝送速度のデジタルコードスケルチ選択信号のデコードに先立ち、予め設定された個別選択信号に応じた個別選択信号を、前記所定の伝送速度とは異なる第二の伝送速度でデコードし、前記個別選択信号のデコード結果に応じて、呼び出し先としての動作の可否を決定する制御を行うように構成された、ことを特徴とする無線通信装置である。
【００１４】
（４）請求項４に記載の発明は、前記個別選択信号は、無線通信装置のそれぞれで相違するＩＤ番号である、ことを特徴とする請求項１乃至請求項３のいずれかに記載の無線通信装置である。
【００１５】
（５）請求項５に記載の発明は、音声出力、発光、アラーム音発報のいずれか一つ又はそれらの組み合わせにより、呼び出し先として選択されたことを確認可能な確認手段を有する、ことを特徴とする請求項２又は請求項３のいずれかに記載の無線通信装置である。
【００１６】
（６）請求項６に記載の発明は、前記制御手段は、送信中には、個別選択信号の送信の後に、予め設定された固定番号に応じたデジタルコードスケルチ選択信号を送信する、ことを特徴とする請求項１又は請求項３のいずれかに記載の無線通信装置である。
【発明の効果】
【００１７】
この発明では、送信時（呼び出し時）には、所定の伝送速度のデジタルコードスケルチ選択信号の送信に先立ち、呼び出し先に応じて予め設定された個別選択信号に応じた個別選択信号を、所定の伝送速度とは異なる第二の伝送速度でデジタルコードスケルチエンコーダ手段を介して送信する制御を行う。
【００１８】
又、受信時には、所定の伝送速度のデジタルコードスケルチ選択信号のデコードに先立ち、予め設定された個別選択信号に応じた個別選択信号を、所定の伝送速度とは異なる第二の伝送速度でデコードし、個別選択信号のデコード結果に応じて、呼び出し先としての動作の可否を決定する制御を行う。
【００１９】
これにより、第二の伝送速度での個別選択信号を伝送し、この個別選択信号のデコード結果に応じて、呼び出し先としての動作の可否を決定する制御を行うようにしているので、同一の周波数で同一のデジタルコードスケルチのシステムを使用する他の無線通信装置から、同一のデジタルコードスケルチの固定番号で呼び出しの影響を受けることなく、確実な個別選択呼び出し動作が可能になる。
【００２０】
すなわち、無線通信装置の受信部は、呼び出し元無線通信装置の送信部から送信された際の初期動作で送られて来る伝送速度が変更された個別選択信号（ＩＤ番号）を復調して、自己の個別選択信号（ＩＤ番号）と一致を判定して、呼び出し先であるか否かを判定する。
次に、デジタルコードスケルチ選択信号（固定番号）を連続的に監視し、一致した際には、音声の出力を許可して、呼び出し元無線通信装置からの呼び出しを受ける。
尚、この発明では、個別選択信号を伝送する際に、デジタルコードスケルチ選択信号と同じエンコーダとデコーダを使用しているため、ＭＳＫモデムなどを構成するための部品や基板の追加を必要としない。
【００２１】
又、個別選択信号について、デジタルコードスケルチ選択信号と同一のエンコーダとデコーダとを使用しながらも、伝送速度を異ならせているため、デジタルコードスケルチ選択信号に影響を与えることなく、別個に個別選択呼び出し動作が可能になる。
更に、この発明では、個別選択信号として、無線通信装置のそれぞれで互いに相違するＩＤ番号を付与することによって、各無線通信装置の固有識別が可能になり、確実な個別選択呼び出し動作が可能になる。
【００２２】
加えて、この発明では、受信時に、音声出力、発光、アラーム音発報のいずれか一つ又はそれらの組み合わせにより、呼び出し先として選択されたことを確認することで、各無線通信装置の確実な個別選択呼び出し動作が可能になる。
又、この発明では、送信中に、個別選択信号の送信の後に、予め設定された固定番号に応じたデジタルコードスケルチ選択信号を送信することで、従来と全く同じデジタルコードスケルチ選択信号による動作が可能になる。このため、従来の無線通信装置との間の互換性を損なうことがない。
【発明を実施するための最良の形態】
【００２３】
以下、図面を参照して本発明を実施するための最良の形態（以下、実施形態と呼ぶ）を詳細に説明する。但し、この実施形態の具体例によって、この発明が限定されるものではない。
【００２４】
図１は、本発明の無線送信装置と無線受信装置とが一体に構成された無線送受信装置（以下、「無線通信装置」と呼ぶ）の電気的構成を示すブロック図である。
尚、単体の無線送信装置と単体の無線受信装置との組み合わせであっても、以下の作用効果を奏することが可能である。
【００２５】
図１の無線通信装置１は、受信及び復調を行う受信手段２、変調及び電力増幅を行う送信手段３、デジタルコードスケルチのデコードを行うデジタルコードスケルチデコーダ手段４、デジタルコードスケルチのエンコードを行うデジタルコードスケルチエンコーダ手段５、各種制御を行うＣＰＵ６、受信及び復調された音声信号の出力を行う音声出力手段７、送信すべき音声信号が入力されるマイク８、マイク８で入力された音声信号の増幅を行うマイク増幅器９、ＩＤ番号や固定番号などが記憶される不揮発性メモリ１０、各種操作がなされる操作部１１、が備えられている。
【００２６】
又、ＣＰＵ６は、制御ソフトウェアと共に、デジタルコードスケルチ選択信号の判定を行うデジタルコードスケルチ選択信号判定部６ａ、個別選択信号の判定を行う個別選択信号判定部６ｂ、各部の制御を行う制御手段としての制御部６ｃ、デジタルコードスケルチ選択信号の設定を行うデジタルコードスケルチ選択信号設定部６ｄ、デジタルコードスケルチのビットレート変更を行うデジタルコードスケルチビットレート変更部６ｅ、を備えて構成されている。
【００２７】
尚、操作部１１には、個別選択信号（ＩＤ番号）やデジタルコードスケルチ選択信号（固定番号）の設定が行われる選択信号設定部１１ａ、プレストークボタン１１ｂ、が備えられている。
又、図４に示すように、呼び出し元となる無線通信装置（呼び出し元無線通信装置）１３と、通信を意図した呼び出し先となる無線通信装置（呼び出し先無線通信装置）１４とは、呼び出し可能な範囲１２内に存在しており、同種の無線通信装置を使用していて、同一周波数を使用するものとする。
尚、呼び出し可能な範囲１５の内部では、通信を意図していない他の無線通信装置１６が同一周波数を使用しており、かつ、同種のデジタルコードスケルチ選択信号を使用可能な状態にあるものとする。
【００２８】
以下において、本実施形態の無線通信装置の動作について、図２および図３のフローチャートを参照して動作説明を行う。
尚、図２は無線通信装置が送信（呼び出し）を行う際の動作を示すフローチャートであり、図３は無線通信装置が受信を行う（呼び出しを受ける）際の動作を示すフローチャートである。
又、呼び出し元となる無線通信装置には、呼び出し先となる無線通信装置の個別選択信号が予め操作部１１の選択信号設定部１１ａを介して設定されているものとする。加えて、呼び出し先の無線通信装置と呼び出し元の無線通信装置との間では、同一のデジタルコードスケルチ選択信号が設定されているものとする。
【００２９】
送信側となる無線通信装置１において、制御部６ｃは操作部１１のプレストークボタン１１ｂの状態を定期的に監視している（図２Ｓ１、Ｓ２）。よって、プレストークボタン１１ｂが押下されなければ、制御部６ｃは無線通信装置１を待機状態に保つ（図２Ｓ１）。
ここで、送信者（図４の重機操縦者）が操作部１１ｂのプレストークボタン１１ｂを押下する（図２Ｓ２でＹ（Ｙｅｓ，以下同様））と、無線通信装置１は送信状態になる。
そうして、予め送信者によって選択信号設定部１１ａに入力された呼び出し先無線通信装置の個別選択信号（ＩＤ番号）が制御部６ｃによって不揮発性メモリ１０から読み込まれ、デジタルコードスケルチ選択信号設定部６ｄにセットされる（図２Ｓ３）。
【００３０】
そうして、制御部６ｃは、個別選択信号（ＩＤ番号）の送出が終了するまでの期間は、デジタルコードスケルチビットレート変更部６ｅにより、デジタルコードスケルチ選択信号の伝送速度を所定の伝送速度（例えば、１３４．４ｂｐｓ）から、他の無線通信装置（他工事現場など）１６に妨害を与えることのない、あるいは、妨害を受けるところのない伝送速度（第二の伝送速度、例えば、１４８．９ｂｐｓ）に変化させる（図２Ｓ４）。
又、制御部６ｃの制御作用により、個別選択信号はデジタルコードスケルチエンコーダ手段５でエンコードされて帯域制限された状態になり、送信手段３で変調されて送信される（図２Ｓ５）。
尚、ＩＤ番号は具体的に、無線通信装置のそれぞれで相違する個別番号、無線機の所有者番号、通信相手側の無線通信装置の番号、グループ一括呼び出しのグループ番号、チャンネル変更情報などが挙げられる。
【００３１】
このことにより、同種のデジタルコードスケルチを使用している同じ呼び出し可能な範囲内の工事現場１２に存在している他の無線通信装置や、呼び出しの可能な範囲内の他の工事現場１５に存在する他の無線通信装置１６に妨害を与えることはなく、又、妨害を受けることもない。
尚、ここで、プレストークボタン１１ｂの押下（図２Ｓ２）から個別選択信号（ＩＤ番号）送信（図２Ｓ５）までを初期動作と呼ぶことにする。
又、制御部６ｃは、個別選択呼び出し動作を確実なものにするため、個別選択信号を複数回連続して送信するようにしてもよい。
【００３２】
以上の初期動作での個別選択信号（ＩＤ番号）の送信（図２Ｓ５）が終了すると、制御部６ｃは、デジタルコードスケルチビットレート変更部６ｅにより、第二の伝送速度（１４８．９ｂｐｓ）から所定の伝送速度（１３４．４ｂｐｓ）に戻す（図２Ｓ６）。
予めここで、送信者によって選択信号設定部１１ａに入力されたデジタルコードスケルチ選択信号（固定番号）が制御部６ｃによって不揮発性メモリ１０から読み込まれ、デジタルコードスケルチ選択信号設定部６ｄにセットされる（図２Ｓ７）。
【００３３】
そうして、制御部６ｃの制御作用により、設定されたデジタルコードスケルチ選択信号（固定番号）は連続的に送信される（図２Ｓ７）。続いて、呼び出し先無線通信装置（作業者）１４と音声通話可能状態（図２Ｓ８）になる。
この、デジタルコードスケルチ選択信号の送信と音声信号の送信とは、制御部６ｃの制御により、プレストークボタン１１ｂがオフされるまで続けられる（図２Ｓ９でＮ（Ｎｏ,以下同様）、Ｓ７、Ｓ８）。
【００３４】
尚、デジタルコードスケルチ選択信号（固定番号）は、音声帯域外なので音声と重畳して送っても音声通信に影響を与えない。
ここで、プレストークボタン１１ｂがオフ状態にされると、制御部６ｃは無線通信装置１を送信状態から待機状態にする（図２Ｓ９でＹ）。
【００３５】
一方、受信を行う無線通信装置１（呼び出し先無線通信装置）では、所定の周波数の電波の受信を行っていない段階では、制御部６ｃの制御により待機状態（図３Ｓ１）として、音声出力手段７からの音声出力が遮断状態にされている。
そうして、制御部６ｃの制御により、呼び出し元無線通信装置から送信された個別選択信号（ＩＤ番号）が受信手段２で復調され、更にデジタルコードスケルチデコーダ手段４でデコードされてデジタル符号化される。
【００３６】
尚、受信開始の初期状態では、デジタルコードスケルチ選択信号としての所定の伝送速度とは異なる第二の伝送速度で伝送される個別選択信号（ＩＤ番号）のデコードを行う。
そうして、ＣＰＵ６内の個別選択信号判定部６ｂにおいて、デジタルコードスケルチデコーダ手段４からの第二の伝送速度で伝送された個別選択信号（ＩＤ番号）と、不揮発性メモリ１０に保持する自己の個別選択信号（ＩＤ番号）との一致判定を行う（図３Ｓ２）。
【００３７】
ここで、ＣＰＵ６内の個別選択信号判定部６ｂにおける一致判定で、デジタルコードスケルチデコーダ手段４からの第二の伝送速度で伝送された個別選択信号（ＩＤ番号）と、不揮発性メモリ１０に保持する自己の個別選択信号（ＩＤ番号）とが一致していると判定された場合（図３Ｓ２で一致）、呼び出し先無線通信装置として選択されたものであると確認できる。
この段階で、音声出力、発光、アラーム音発報のいずれか一つ又はそれらの組み合わせを実行することにより、呼び出し先として選択されたことを確認するようにしてもよい。
【００３８】
他方、個別選択信号（ＩＤ番号）が不一致（図３Ｓ２不一致））であると判定された場合には、制御部６ｃの制御作用により、音声出力を遮断状態にしたまま、受信待機状態（図３Ｓ１）に戻る。
そうして、個別選択信号（ＩＤ番号）が一致したと確認された時点で、ＣＰＵ６内のデジタルコードスケルチ選択信号判定部６ａにおいて、デジタルコードスケルチデコーダ手段４からの第二の伝送速度で伝送されたデジタルコードスケルチ選択信号（固定番号）と、不揮発性メモリ１０に保持する自己のデジタルコードスケルチ選択信号（固定番号）との一致判定を行う（図３Ｓ３）。
【００３９】
ここで、ＣＰＵ６内のデジタルコードスケルチ選択信号判定部６ａにおける一致判定で、デジタルコードスケルチデコーダ手段４からのデジタルコードスケルチ選択信号（固定番号）と、不揮発性メモリ１０に保持する自己のデジタルコードスケルチ選択信号（固定番号）とが一致していると判定された場合（図３Ｓ３で一致）、制御部６ｃは音声出力を遮断状態から出力状態に切り換える（図３Ｓ４）。
このことにより、送信側の無線通信装置から送信された音声信号が、受信側の無線通信装置から音声として出力されるようになり、通話が成立する。
【００４０】
他方、デジタルコードスケルチ選択信号（固定番号）が不一致（図３Ｓ３不一致）と判定された場合には、制御部６ｃの制御により、音声出力を遮断状態にしたまま、受信待機状態（図３Ｓ１）に戻る。
以上のように、この実施形態では、送信時には、所定の伝送速度のデジタルコードスケルチ選択信号の送信に先立ち、呼び出し先に応じて予め設定された個別選択信号に応じた個別選択信号を、所定の伝送速度とは異なる第二の伝送速度でデジタルコードスケルチエンコーダ手段を介して送信する制御を行う。
【００４１】
又、受信時には、所定の伝送速度のデジタルコードスケルチ選択信号のデコードに先立ち、予め設定された個別選択信号に応じた個別選択信号を、所定の伝送速度とは異なる第二の伝送速度でデコードし、個別選択信号のデコード結果に応じて、呼び出し先としての動作の可否を決定する制御を行う。
【００４２】
このことにより、第二の伝送速度での個別選択信号を伝送し、この個別選択信号のデコード結果に応じて、呼び出し先としての動作の可否を決定する制御を行うようにしているので、同一の周波数で同一のデジタルコードスケルチのシステムを使用する他の無線通信装置から、同一のデジタルコードスケルチの固定番号で呼び出しの影響を受けることなく、確実な個別選択呼び出し動作が可能になる。
尚、この実施形態では、個別選択信号を伝送する際に、デジタルコードスケルチ選択信号と同じエンコーダとデコーダを使用しているため、ＭＳＫモデムなどを構成するための部品や基板の追加を必要としない。又、製造も手間取ることにはならない。
【００４３】
更に、個別選択信号について、デジタルコードスケルチ選択信号と同一のエンコーダとデコーダとを使用しながらも、伝送速度を異ならせているため、デジタルコードスケルチ選択信号に影響を与えることなく、別個に個別選択呼び出し動作が可能になる。
尚、この実施形態では、個別選択信号として、無線通信装置のそれぞれで相違するＩＤ番号を付与することで、各無線通信装置の固有識別が可能になり、確実な個別選択呼び出し動作が可能になる。
【００４４】
又、この実施形態では、受信時に、音声出力、発光、アラーム音発報のいずれか一つ又はそれらの組み合わせにより、呼び出し先として選択されたことを確認することで、各無線通信装置の確実な個別選択呼び出し動作が可能になっている。
又、この実施形態では、送信中に、個別選択信号の送信の後に、予め設定された固定番号に応じたデジタルコードスケルチ選択信号を送信することで、従来と全く同じデジタルコードスケルチ選択信号による動作が可能になる。このため、従来の無線通信装置との間の互換性を損なうことがない。
【００４５】
尚、この実施形態において、妨害を与えないビットレートは、１３４．４ｂｐｓより早い速度が好ましいが、追加部品を発生させない理由でデジタルコードスケルチのデジタルコードスケルチエンコーダ手段５と兼用して動作させるので、デジタルコードスケルチエンコーダ手段５の性能によりビットレートは適宜決定するのがよい。
【００４６】
又、図４を用いて、個別選択呼び出しの具体例を説明する。
ここでは、呼び出し元無線通信装置（重機操縦者）１３が、デジタルコードスケルチを使用して、呼び出しの可能な範囲内の工事現場１２に存在する呼び出し先無線通信装置（作業者）１４を呼び出す場合を考える。
まず、重機操縦者は、図１の選択信号設定部１１ａにより呼び出し先無線通信装置１４と一致した個別選択信号（ＩＤ番号）を入力したうえで、プレストークボタン１１ｂを押して送信状態にする。
【００４７】
これにより、ＣＰＵ６のデジタルコードスケルチ選択信号設定部６ｄは通信を意図した呼び出し先無線通信装置（作業者）１４と一致した個別選択信号（ＩＤ番号）を不揮発性メモリ１０から制御部６ｃを介して読み込む。このことにより、個別選択信号（ＩＤ番号）の送出が終了するまでの期間は、デジタルコードスケルチビットレート変更部６ｅにより第二の伝送速度（１４８．９ｂｐｓ）に変化させられ、デジタルコードスケルチエンコーダ手段５で帯域制限されて、送信手段３から変調して送信される。
このようにして、伝送速度を１３４．４ｂｐｓ以外の異なる伝送速度にすることで、デジタルコードスケルチを使用している同じ呼び出しの可能な範囲内の工事現場１２に存在している無線通信装置や、呼び出しの可能な範囲内の他工事現場１５に存在する他の無線通信装置１６に妨害を与えない状態とすることができる。
【００４８】
初期動作としての個別選択信号（ＩＤ番号）の送出が終了してから重機操縦者がプレストークボタン１１ｂを放すまでの期間は、予め重機操縦者により図１の選択信号設定部１１ａで選定された呼び出し先無線通信装置（作業者）１４と一致したデジタルコードスケルチ選択信号（固定番号）を、ＣＰＵ６のデジタルコードスケルチ選択信号設定部６ｄで不揮発性メモリ１０から制御部６ｃを介して読み込んで、連続的にデジタルコードスケルチ選択信号（固定番号）が送信手段３で変調され送信される。
【００４９】
且つ、マイク８とマイク増幅器９で帯域制限された重機操縦者の呼び出し音声や連絡事項は、上記のデジタルコードスケルチ選択信号（固定番号）と重畳されて、呼び出し先無線通信装置（作業者）１４に送られる。
尚、このデジタルコードスケルチ選択信号（固定番号）は音声帯域外であり、音声と重畳して送っても音声通信に影響を与えない状態である。
【００５０】
呼び出し元無線通信装置（重機操縦者）１３から送信された個別選択信号（ＩＤ番号）は、呼び出し先無線通信装置（作業者）１４内の受信手段２で復調され、デジタルコードスケルチデコーダ手段４でデジタル符号化され、ＣＰＵ６のデジタルコードスケルチ選択信号判定部６ａで判定される。
【００５１】
ここで、送信された個別選択信号（ＩＤ信号）が自己の個別選択信号（ＩＤ番号）と一致したと判定された場合、重機操縦者がプレストークボタン１１ｂを放すまでの期間は、重機操縦者から送られて来る連続的なデジタルコードスケルチ選択信号（固定番号）をデジタルコードスケルチ選択信号判定６ｂで連続的に自己のデジタルコードスケルチ選択信号（固定番号）と一致するか否かを判定する。
送信されたデジタルコードスケルチ選択信号が自己のデジタルコードスケルチ選択信号と一致していると判定された際には、制御部６ｃが音声出力手段７を動作させ、呼び出し元無線通信装置（重機操縦者）１３からの音声や連絡事項を出力させる。
すなわち、送信側の無線通信装置から送信された音声信号が、受信側の無線通信装置から音声として出力されるようになり、通話が成立する。
【００５２】
尚、以上のように、本実施形態が実施されるであろう、つまり本発明の無線通信装置が使用される工事現場（図４）において、呼び出し元無線通信装置（重機操縦者）１３がデジタルコードスケルチを使用して、呼び出しの可能な範囲内の工事現場１２に存在する呼び出し先無線通信装置（作業者）１４を特定して呼び出す際に、他工事現場からの呼び出しの可能な範囲内の他工事現場１５に存在する通信を意図しない他の無線通信装置１６が呼び出し元無線通信装置１４と一致したデジタルコードスケルチ選択信号（固定番号）用いてを送信したとしても、呼び出し先無線通信装置（作業者）１４側は他の無線通信装置１６の呼び出しを呼び出し元無線通信装置（重機操縦者）１３と取り違えて呼び出しに応答する問題は発生しない。
【００５３】
すなわち、本実施形態によれば、同一の周波数や同一のデジタルコードスケルチのシステムを使用する他の無線通信装置からの呼び出しの影響を受けることなく個別選択呼び出し動作が可能になる。
以上の実施形態で説明した無線通信装置は図１に送信部と受信部とを備えた無線通信装置としていたが、送信のみを行う無線通信装置と受信のみを行う無線通信装置との組み合わせにおいても、個別選択呼び出しにおいて良好な結果が得られる。
【００５４】
又、有線の信号線により相互に配線された複数の送受信装置間で個別選択呼び出しを行うような場合であっても、本実施形態を適用して良好な結果を得ることが可能である。
【図面の簡単な説明】
【００５５】
【図１】本発明の実施形態の無線通信装置の要部機能の構成を説明するブロック図である。
【図２】本発明の実施形態の無線通信装置の送信時の動作を示すフローチャートである。
【図３】本発明の実施形態の無線通信装置の受信時の動作を示すフローチャートである。
【図４】本発明の実施形態の無線通信装置の配置の様子を説明するブロック図である。
【符号の説明】
【００５６】
１  無線通信装置
２  受信手段
３  送信手段
４  デジタルコードスケルチデコーダ手段
５  デジタルコードスケルチエンコーダ手段
６  ＣＰＵ
６ａ  デジタルコードスケルチ選択信号判定部
６ｂ  個別選択信号判定部
６ｃ  制御部
６ｄ  デジタルコードスケルチの選択信号設定部
６ｅ  デジタルコードスケルチのビットレート変更
６ｆ  ＣＰＵ  ＭＳＫモデムの選択信号判定
６ｇ  ＣＰＵ  ＭＳＫモデムの選択信号設定部
７  音声出力手段
８  マイク
９  マイク増幅器
１０  不揮発性メモリ
１１  操作部
１１ａ  選択信号設定部
１１ｂ  プレストークボタン
１２  呼び出し可能な範囲内の工事現場
１３  呼び出し元無線通信装置（重機操縦者）
１４  呼び出し先無線通信装置（作業者）
１５  呼び出し可能な範囲内の他工事現場
１６  他の無線通信装置
【図１】
2005286932.tif 000002
【図２】
2005286932.tif 000003
【図３】
2005286932.tif 000004
【図４】
2005286932.tif 000005